(57)【要約】      （修正有）【課題】装飾部材が紐の輪に取り付けられた装身具、例えば指輪において、輪のサイズを可変にして締めつけ感を軽減し付け心地を良くする。【解決手段】指輪１０は透明シリコンゴム製の一本の紐１１と、支持部材１２と、装飾部材１３を有する。紐１１は、らせん状に２回旋回して２つの輪１１Ａ、１１Ｂを形成する。紐１１の一端１１Ｃは支持部材１２の貫通孔１２ＡＢに固定される。紐の１１の中央付近の部分が支持部材１２の貫通孔１２ＣＤに挿通され、貫通穴１２ＣＤ内を移動可能である。紐１１の他端１１Ｄは支持部材１２の貫通孔１２ＥＦ内に固定される。紐の２つの輪１１Ａ、１１Ｂが装飾部材１３に挿通され、紐１１は装飾部材１３内を移動可能である。指の太さの変化に応じて紐１１の２つの輪１１Ａ、１１Ｂのサイズ及び大小関係が自ずと変化する。【選択図】図１
2010220982.tif 000002
【特許請求の範囲】
【請求項１】
その中にユーザの身体部分を通すことで身体に装着される装身具において、
ユーザの身体部分をその中に通すための少なくとも２つの輪を形成するように、らせん状に少なくとも２回旋回した１本の紐と、
前記紐が挿通される貫通穴を有する支持部材と
を備え、
前記紐は、前記支持部材の貫通穴の両方の開口から外へ出て、一方の開口から外へ出た前記紐の第１部分が、上記少なくとも２つの輪のうちの一方の輪を形成し、他方の開口から外へ出た前記紐の第２部分が、他方の輪を形成し、
前記装身具が身体に装着されている間は前記紐の両端部が上記支持部材に固定されるようにして、前記紐の両端部が上記支持部材に取り付けられ、
前記装身具が身体に装着されている間は上記紐が上記貫通穴内をその長さ方向に移動できるように、上記支持部材が構成された、
装身具。
【請求項２】
請求項１記載の装身具において、
前記２つの輪の形状が前記身体の断面形状に応じて変化するように、前記紐が柔軟である装身具。
【請求項３】
請求項１又は２のいずれか一項記載の装身具において、
上記支持部材から分離された装飾部材をさらに備え、前記装飾部材が前記２つの輪の双方又は一方に取り付けられており、前記装飾部材に対して前記輪が前記紐の長さ方向に移動できるようになっている装身具。
【発明の詳細な説明】
【技術分野】
【０００１】
本発明は、例えば指輪やネックレスなどのように、その中に指や首などの身体部分を通すための紐（鎖も含む）の輪と、それに取り付けられた装飾部材とを有する装身具に関する。
【背景技術】
【０００２】
この種の装身具の一例として、装飾部材に透明シリコンゴム紐の単一の輪（要するに単一の輪ゴム）が付けられた指輪が知られている。この指輪を指に装着するときには、その輪ゴムに指が挿通され、輪ゴムがその弾性力で締まって指にフィットする。
【発明の概要】
【発明が解決しようとする課題】
【０００３】
従来の単一輪ゴムに装飾部材が付いた指輪は、指上で装飾部材がふらついて、装飾部材の向きの安定性が悪い。そのため、装飾部材のサイズはある程度小さく限られ、従って、装飾部材のデザインバリエーションが狭く限られる。また、人により、指により、また、指を曲げたときと伸ばしたときとでは、指のサイズが異なるのに対し、輪ゴムの（縮んだときの）径サイズは一定である。そのため、輪ゴムの指への締めつけが強過ぎる場合、或いは弱すぎる場合があり、このことは、指輪の付け心地が悪い、或いは、指輪の装着位置が安定しないなどの問題を引き起こす。
【０００４】
また、ネックレスの場合は、紐の輪の径サイズを大幅に変化させ得るようにしたいという要求がある。
【０００５】
本発明の目的は、輪状の紐と、それに取り付けられた装飾部材とを有する装身具において、紐の輪の径サイズを調節できるようにすることにある。
【課題を解決するための手段】
【０００６】
本発明に従う装身具は、ユーザの身体部分をその中に挿通するための少なくとも２つの輪を形成するように、らせん状に少なくとも２回旋回した1本の紐と、その紐が挿通される貫通孔を有する支持部材とを備える。上記紐は上記支持部材の貫通穴の両方の開口から外へ出る。一方の開口から外で出た紐の第１部分が、上記少なくとも２つの輪のうちの一方を形成し、他方の開口から外で出た紐の第２部分が、他方の輪を形成する。この装身具が身体に装着されている間その紐の両端が上記支持部材に固定されるようにして、その紐の両端が上記支持部材に取り付けられる。さらに、この装身具が身体に装着されている間、上記紐が上記貫通孔内を通って移動できるように、上記支持部材が構成されている。それにより、この装身具が身体に装着されている間、上記少なくとも２つの輪の径サイズが変化し得る。
【０００７】
装飾部材は、上記支持部材から分離された部品として、前記２つの輪の双方又は一方に取り付けられてもよいし、及び／又は、装飾部材が上記支持部材上に取り付けられてもよいし、及び／又は、装飾部材が支持部材により構成されていてもよい。装飾部材が上記支持部材から分離された部品として上記２つの輪の双方又は一方に取り付けられる場合、装飾部材に対してその輪が、紐の長さ方向へ移動可能であってよい。それにより、装飾部材のその輪に沿った配置が調整可能である。
【０００８】
本発明は、指輪、トウリング（足の指に装着される指輪）、ネックレス、腕環、脚環、アンクルリング、腰ベルト、ヘアバンドなど、身体の或る部分を上記少なくとも２つの輪に挿通することで、身体に装着するような種々の装身具に適用できる。
【０００９】
上記紐として、装身具の用途に応じて、伸縮性のあるもの、又は伸縮性のないもの、が採用されてよい。例えば指輪のように、ユーザの身体部分にタイトにフィットする必要のある装身具の場合、伸縮性のある紐（例えばシリコンゴム紐）が採用されてよい。他方、例えばネックレスのように、ユーザの身体部分にルーズに装着される装身具の場合、伸縮性のない紐（例えば金属鎖や編み紐）が採用されてよい。また、上記２つの輪の形状が、そこに挿入されるユーザの身体部分の断面形状に応じて変われるように、上記紐は柔軟な材料製であってよい。
【発明の効果】
【００１０】
本発明の装身具によれば、一本の紐が、支持部材の両側で少なくとも２つの輪を形成する。そして、少なくともこの装身具が身体に装着されている間、その紐が支持部材の貫通穴内を通って移動でき、それにより、上記少なくとも２つの輪の径サイズが、その２つの輪を合わせた紐の長さが一定に保たれつつ一方の輪が拡大すると他方が縮小するようにして、変化できる。
【００１１】
例えば指輪の場合、個人差や指の種類の違いによる指の太さの違いや、指の曲げ伸ばしに伴う指の太さの変化に対応でき、締めつけ感が軽減され、付け心地が良い。しかも、その２つの輪を合わせた紐の長さが一定に保たれつつ一方の輪が拡大すると他方の輪が縮小するから、例えば全ての輪が一旦拡大した後に以前のサイズに戻らないために指輪が指に対して緩んでしまう、というような問題は発生しない。また、例えばネックレスの場合、それら２つの輪のサイズの相対比率をＴＰＯやユーザの好みに応じて変えて、そのバリエーションを楽しむことができる。
【図面の簡単な説明】
【００１２】
【図１】本発明に従う装身具の一実施形態である指輪の外観と構造を示す図である。
【図２】同指輪の一部品である支持部材の正面図である。
【図３】同支持部材の側面図である。
【発明を実施するための形態】
【００１３】
以下、図面を参照して、本発明の一実施形態にかかる指輪について説明する。
【００１４】
図１に示されるように、本発明の一実施形態にかかる指輪１０は、一本の紐１１と、この紐１１に取り付けられている支持部材１２と、その紐１１に取り付けられている装飾部材１３を備える。紐１１は、例えばシリコンゴムのような柔軟で伸縮可能な材料製であり、長さ方向に弾性的に伸縮可能である。紐１１は、らせん状に２回旋回して、その中にユーザの指を挿通するための２つの輪１１Ａと１１Ｂを形成している。２つの輪１１Ａと１１Ｂに、装飾部材１３が取り付けられている。紐１１は柔軟であり、よって、２つの輪１１Ａと１１Ｂの形状が、そこに挿入されるユーザの指の断面形状に応じて、自由に変わる。紐１１が無色透明であって、まるで紐１１が存在してないようにこの指輪が見えるようになっていてよい。或いは、紐１１が着色されていたり特定の美的デザインを施されていたりして、この指輪の美的外観に紐１１が積極的に貢献するようになっていてもよい。
【００１５】
支持部材１２は、例えば金属、合成樹脂、石又はガラスなどのような剛体材料製であり（或いは、例えば布やシリコンゴムのような柔軟材料製でもよい）、３つの貫通穴、すなわち、第１貫通孔１２ＡＢ、第２貫通孔１２ＤＣ及び第３貫通孔１２ＥＦを有する。第１貫通孔１２ＡＢには紐１１の一方の端部１１Ｃが挿入され、第１貫通孔１２ＡＢ内で端部１１Ｃが固定される。第２貫通孔１２ＣＤには、紐１１の中央付近の部分が挿通され、紐１１は第２貫通孔１２ＤＣＤを通って移動可能である。第３貫通孔１２ＥＦには、紐１１の他方の端部１１Ｄが挿入され、第３貫通孔１２ＥＦ内で端部１１Ｄが固定される。紐１１の２つの輪１１Ａと１１Ｂのうちの第１の輪１１Ａは、第１貫通孔１２ＡＢと第２貫通孔ＤＣとの間で形成され、第２の輪１１Ｂは、第２貫通孔１２ＣＤと第２貫通孔ＥＦとの間で形成される。第２貫通孔１２ＣＤを通って紐１１がその長さ方向に移動可能なので、その２つの輪１１Ａと１１Ｂのサイズ及び大小関係が調整可能である。
【００１６】
装飾部材１３も、例えば金属、合成樹脂、石又はガラスなどのような剛体材料製であり（或いは、例えば布やシリコンゴムのような柔軟材料製でもよい）、それぞれの中に紐１１が挿通される２つの貫通穴、すなわち、第４貫通孔１３ＡＢ及び第５貫通孔１３ＣＤを有する。第４貫通孔１３ＡＢには紐１１の第１の輪１１Ａの部分が相通され、第５貫通孔１３ＣＤには紐１１の第２の輪１１Ｂの部分が相通される。紐１１はそれらの貫通孔１３ＡＢ、１３ＣＤを通ってその長さ方向に移動可能であり、それにより、装飾部材１３の輪１１Ａと１１Ｂに沿った配置が調整可能である。
【００１７】
この指輪１０を作るときには、以下のようにして、紐１１が支持部材１２と装飾部材１３に取り付けられる。
【００１８】
すなわち、紐１１の一端部１１Ｃが支持部材１２の貫通孔１２ＡＢに、一方の開口１２Ａから入って他方の開口１２Ｂから出るようにして挿通される。そして、開口１２Ｂから外へ出た紐１１の一端部１１Ｃに結び目が作られ、その結び目が開口１２Ｂから支持部材１２内に入れられて、外からは見えないように支持部材１２内に完全に格納される。接着剤により、その結び目（端部１１Ｃ）が支持部材１２内で固定される。
【００１９】
また、開口１２Ａから外へ出ている紐１１の他端部１１Ｄが、装飾部材１３の貫通孔１３ＡＢに、開口１３Ａから入って開口１３Ｂから出るようにして挿通され、続いて、支持部材１２の貫通穴１２ＣＤに、開口１２Ｄから入って開口１２Ｃから出るようにして挿通され、続いて、装飾部材１３の貫通孔１３ＣＤに、開口１３Ｃから入って開口１３Ｄから出るようにして挿通され、最後に、支持部材１２の貫通孔１２ＥＦに、開口１２Ｆから入って開口１２Ｅから出るようにして挿通される。そして、開口１２Ｅから外へ出た他端部１１Ｄに結び目が作られ、その結び目が開口Ｅから支持部材１２内に入れられて、外からは見えないように支持部材１２内に完全に格納される。接着剤により、その結び目（端部１１Ｄ）が支持部材１２内で固定される。以上で、この指輪１０が完成する。
【００２０】
図２と図３に示されるように、支持部材１２は、例えば金属製の箱形のケーシング１２Ｇを有する。ケーシング１２Ｇは、例えば、縦５ｍｍ×横３ｍｍ×厚２ｍｍ程度のサイズである。ケーシング１２Ｇの外形は、肌触りを良くするために尖った角をもたない。ケーシング１２Ｇは中空であり、図３の端的に示されるように、その両側面の壁には図１に示された３つの貫通孔の開口１２Ａ、１２Ｂ、１２Ｃ、１２Ｄ、１２Ｅ、１２Ｆが開いている。ケーシングの内部には、図1に示された貫通孔１２ＡＢと１２ＥＦをそれぞれ形成するための２つの円環１２Ｈと１２Ｊと、貫通孔１２ＣＤを形成するための１つの円管１２Ｉが、収納され固定されている。円環１２Ｈとそれに対応する開口１２Ｂとの間、及び、円環１２Ｊとそれに対応する開口１２Ｅとの間には、それぞれ、紐１１の両端１１Ｃと１２Ｄの結び目を格納するための空間１２Ｋと１２Ｌがある。
【００２１】
この指輪１０では、紐１１が、その両端部１１Ｃと１１Ｄにて支持部材１２に固定され且つその中央付近部の部分にて支持部材１２の貫通穴１２ＣＤ内を移動可能である。従って、紐１１が形成する２つの輪１１Ａと１１Ｂのサイズが、その２つの輪１１Ａと１１Ｂを合わせた紐１１の長さが一定に保たれつつ一方の輪が拡大すると他方が縮小するようにして、変化し得る。また、紐１１が柔軟であって、輪１１Ａと１１Ｂの形状が、指の断面形状に応じて自由に変化し得る。これにより、個人差又は指の種類の違いによる指の太さ及び／又は断面形状の違いに、上記２つの輪１１Ａと１１Ｂが柔軟に対応できる。また、この指輪１０が指に装着されている間、指を曲げたり伸ばしたりすることで、指の太さが局所的に太くなったり細くなったりしても、及び／又は指の断面形状が変化しても、その太さ及び／又は断面形状の変化に、上記２つの輪１１Ａと１１Ｂが柔軟に対応できる。これにより、ユーザにとって、指輪１０の指への絞めつけ感が軽く、その付け心地が良い。また、指輪１０の指へフィット性も向上し、指輪１０の装着位置が安定する。これらの利点は、紐１１それ自体が伸縮性をもっていることで、一層強化される。また、その２つの輪１１Ａと１１Ｂを合わせた紐１１の長さが一定に保たれつつ一方の輪が拡大すると他方が縮小するから（つまり、指のサイズの変化に応じてそれぞれの輪のサイズが自動的に調整されるから）、例えば全ての輪が一旦拡大した後に以前のサイズに戻らないために指輪が指に対して緩んでしまう、というような問題は発生しない。
【００２２】
また、この指輪１０が指に装着されている間、紐１１が形成する２つの輪１１Ａと１１Ｂは、支持部材１２と装飾部材１３とによって、相互間に或る程度の距離をもって離れて指上に配置されるので、装飾部材１３のふらつきが少なく、装飾部材１３の向きが安定する。そのため、装飾部材１３のサイズのバリエーションも、従来の単一輪ゴム付き指輪よりも、広がり、よって、装飾部材１３のサイズのデザインの自由度も広がる。
【００２３】
また、紐１１が、装飾部材１３の２つの貫通穴１３ＡＢと１３ＣＤ内を移動可能であるから、装飾部材１３の指上での位置を、ユーザの好みに応じて調節できる。
【００２４】
さらに、紐１１の両端部１１Ｃと１１Ｄは、支持部材１２内に完全に収容され、外側から結び目が見えないので、審美性に優れている。
【００２５】
以上、本発明の好適な実施形態を説明したが、これは本発明の説明のための例示であり、本発明の範囲をこの実施形態にのみ限定する趣旨ではない。本発明は、その要旨を逸脱しない範囲で、上記実施形態とは異なる種々の態様で実施することができる。例えば、紐は、２回よりも多い回数旋回して、２より多い数の輪を形成してよい。その場合、支持部材は、紐が移動可能に挿通される２以上の数の貫通孔を有してよいし、及び／又は、それらの輪の異なる組み合わせにそれぞれ割り当てられた複数の支持部材が設けられてもよい。装飾部材は、支持部材上に取り付けられていてもよいし、或いは、支持部材それ自体が装飾部材を兼ねていてもよい。支持部材から分離された１以上の装飾部材と、支持部材上に取り付けられた１以上の装飾部材（又は、支持部材それ自体からなる装飾部材）との双方が、この装身具に備えられていてもよい。
【００２６】
支持部材に設けられた、紐を移動可能に挿通するための貫通孔は、必ずしも常に、紐が移動可能になっている必要はない。その指輪がユーザの指上に通常に装着されている間、紐が上記貫通穴内をその長さ方向に移動可能であればよい。例えば、支持部材が、その貫通穴のためのロック機構を有していて、ユーザがそれをロックすると、紐の位置が貫通穴内で固定され、また、ユーザがそのロックを解除すると、その貫通穴内で紐が移動可能となるようになっていてもよい。紐の両端部は、必ずしも支持部材の内部に収容されていなければならないわけではなく、支持部材の外へ出ていてもよい。図１に示された貫通孔１２ＡＢ、１２ＣＤ、１２ＥＦ、１３ＡＢ及び１３ＣＤの各々は、必ずしも一本の貫通孔でなければならないわけではなく、２以上の副貫通穴の縦列であってもよい。
【００２７】
また、紐の両端部は、必ずしも常に支持部材に固定されていなければならないわけではなく、その指輪がユーザの指上に通常に装着されている間、紐の両端部が支持部材に固定されていればよい。ユーザが、必要に応じて、支持部材に固定されることになる紐の両端近くの個所を変更できる（つまり、上記複数の輪を形成する紐の実質的な長さを調節できる）ようになっていてよい。例えば、支持部材における紐の両端部が取り付けられる取付個所（例えば、図１に示された貫通孔１２ＡＢと１２ＥＦ）がロック機構を有していて、そのロック機構をユーザが解除すれば、その取付箇所に対して紐が長さ方向に移動でき、そのロック機構をユーザがロックすれば、その取付箇所に対して紐が固定されるようになっていて良い。或いは、支持部材における上記取付箇所の表面（例えば、図１に示された貫通孔１２ＡＢと１２ＥＦの内面）が、紐の表面に常に或る程度に大きい摩擦力をもって接触しており、ユーザがその指輪を装着している通常の使用時に紐に加わる張力より、上記摩擦力の方が大きくなっていて、それにより、通常の使用時には紐の両端部は上記取付箇所に対して移動しない（実用上つまり実質的に、固定されている）が、ユーザが意図的に非常に強い力で紐の両端部を引っ張れば、紐の両端部が上記取付箇所に対して移動するようになっていてもよい。
【００２８】
装飾部材は、必ずしも単一の部品である必要はなく、それぞれが紐に取り付けられた複数の互いに分離された副装飾部材から構成されてもよい。支持部材は、必ずしも単一の部品である必要はなく、それぞれが紐に取り付けられた互いに分離された複数の副支持部材から構成されてもよい。例えば、支持部材は、分離可能であり且つ互いに結合可能でもあるような、複数の部品から構成されていてよい。例えば、支持部材は、図１に示された紐１１の一端部１１Ｃが取り付けられる第1の部品と、図１に示された紐１１の他端部１１Ｄが取り付けられる第２の部品とを有してよい（その第１と第２の部品の一方又は双方が、図1に示された貫通孔１２ＣＤを有してもよいし、或いは、貫通孔１２ＣＤを有する別の第３の部品がさらに設けられてもよい）。そして、ユーザの指にその指輪が通常に装着されている間は、それら第１と第２の部品（又は、第１、第２及び第３の部品）が、（例えば、嵌まり合う、フッキングする、又は磁気的に引き付け合うなどのやり方で）互いに結合して単一の支持部材を形成するようになっていてよい。他方、ユーザがその指輪に指に入れる又はその指輪から指を抜くときには、支持部材が第１と第２の部品（又は、第１、第２及び第３の部品）に分解され、それにより、紐の輪のサイズが大幅に拡大するようになっていてよい。
【００２９】
本発明は、指輪だけでなく、トウリング（足の指に装着される指輪）やネックレスやその他の種々の装身具に適用されてよい。
【符号の説明】
【００３０】
１０  指輪（装身具）
１１  紐
１２  支持部材
１３  装飾部材
１２ＡＢ、１２ＣＤ、１２ＥＦ、１３ＡＢ、１３ＣＤ  貫通孔
１２Ａ、１２Ｂ、１２Ｃ、１２Ｄ、１２Ｅ、１２Ｆ、１３Ａ、１３Ｂ、１３Ｃ、１３Ｄ  貫通孔の開口
１１Ａ、１１Ｂ  紐の輪
１１Ｃ、１１Ｄ  紐の端部
【先行技術文献】
【特許文献】
【００３１】
【特許文献１】特開２０００−２３６９２１号公報
【特許文献２】実用新案登録第３０８９６６４号公報
【図１】
2010220982.tif 000003
【図２】
2010220982.tif 000004
【図３】
2010220982.tif 000005